(57)【要約】  本発明の実施形態は、包括的には、一体型気泡密封ダンパを有する封じ込めシステムを提供する。別の実施形態では、封じ込めシステムは、ハウジングの内部にアクセスせずにハウジング内に配置されたフィルタ要素の漏れを試験することができるように、封じ込めシステムのハウジング内に配置される一体型自動走査機構を含む。さらに別の実施形態では、封じ込めシステム内に配置されたフィルタを試験する方法が、封じ込めシステムのハウジング内に配置されたフィルタ要素の上流側に試験エアロゾルを負荷すること、及びハウジング内に配置されたプローブを自動的に移動させることであって、漏れ試験用の試料を得る、自動的に移動させることを含む。
2009505061.tif 000002
【特許請求の範囲】
【請求項１】
封じ込めシステムであって、
空気流入口開口及び出口空気流出口開口を有するハウジングと、
前記ハウジング内で前記空気流入口開口と前記出口空気流出口開口との間に配置されるフィルタシール部と、
前記ハウジングから延びて前記空気流入口開口及び前記出口空気流出口開口の少なくとも一方を取り囲む第１のカラーと、
前記ハウジング内に配置されて前記第１のカラーに取り囲まれる前記開口を選択的にシールするように位置決め可能である第１の気泡密封ダンパと
を備える、封じ込めシステム。
【請求項２】
前記ハウジングに形成される１つの選択的にシール可能なアクセス開口と、
前記ハウジングから延びて前記アクセス開口を取り囲むバッグイン／バッグアウトリングと
をさらに備える、請求項１に記載の封じ込めシステム。
【請求項３】
前記ハウジングから延びて前記第２の開口を取り囲む第２のカラーと、
前記ハウジング内に配置されて前記第２の開口を選択的にシールするように位置決め可能である第２の気泡密封ダンパと
をさらに備える、請求項１に記載の封じ込めシステム。
【請求項４】
前記第１の気泡密封ダンパは、前記第１のカラーの中心線に対して軸方向に移動する、請求項１に記載の封じ込めシステム。
【請求項５】
前記第１の気泡密封ダンパは、
実質的な円錐体をさらに備える、請求項４に記載の封じ込めシステム。
【請求項６】
前記円錐体は、
円錐形、楕円形、半球形、又は円形の形態をさらに含む、請求項５に記載の封じ込めシステム。
【請求項７】
前記ハウジング内に配置される走査プローブと、
前記ハウジング内に配置されて前記走査プローブを変位させるように構成される運動機構と
をさらに備える、請求項１に記載の封じ込めシステム。
【請求項８】
前記走査プローブは、
細長部材と、
前記細長部材に形成される複数の試料ポートと
をさらに備える、請求項７に記載の封じ込めシステム。
【請求項９】
前記走査プローブは、前記ハウジングのフィルタシール部と前記出口空気流ポートとの間の部分に配置され、該部分には、該部分に形成されたドアによって閉じられるアクセスポートがない、請求項７に記載の封じ込めシステム。
【請求項１０】
前記ダンパの上流で前記カラー内に配置されるエアロゾル噴射リングをさらに備える、請求項１に記載の封じ込めシステム。
【請求項１１】
前記エアロゾル噴射リングは、
半径方向内向きの複数のエアロゾル噴射孔
をさらに有する、請求項１０に記載の封じ込めシステム。
【請求項１２】
前記ハウジングの室内側に露出する第１の側及び前記走査プローブに連結される第２の側をそれぞれが有する、前記ハウジングに形成される複数の貫通部（penetrations）をさらに有する、請求項７に記載の封じ込めシステム。
【請求項１３】
前記ハウジング内に配置されて前記運動機構に連結されるモータと、
前記モータを前記貫通部の少なくとも１つに連結する少なくとも１つのリードと
をさらに備える、請求項７に記載の封じ込めシステム。
【請求項１４】
前記ハウジング内に配置されて前記運動機構と連結される機械的な結合部と、
前記ハウジングからの漏れを伴うことなく前記結合部に回転運動を伝達するように構成される第１の貫通部と
をさらに備える、請求項７に記載の封じ込めシステム。
【請求項１５】
前記ハウジングの外部に配置されて前記第１の貫通部を通して前記結合部に動作可能に連結される、モータ、ドライバ、又はハンドルの少なくとも１つをさらに備える、請求項１４に記載の封じ込めシステム。
【請求項１６】
前記運動機構は、
前記ハウジングに連結される円筒形アクチュエータをさらに備える、請求項７に記載の封じ込めシステム。
【請求項１７】
前記運動機構は、
前記ハウジングに連結されるロッドレスシリンダを備える、請求項７に記載の封じ込めシステム。
【請求項１８】
前記ハウジング内に配置されて前記走査プローブの位置を示す測定基準（metric）を提供するセンサをさらに備える、請求項７に記載の封じ込めシステム。
【請求項１９】
前記ハウジングは、１つのアクセスドアをさらに備える、請求項１に記載の封じ込めシステム。
【請求項２０】
前記ハウジング内で前記カラーの外側に配置されるエアロゾル噴射リングをさらに備える、請求項１に記載の封じ込めシステム。
【請求項２１】
前記エアロゾル噴射リングは、
半径方向内向きの複数の孔をさらに有する、請求項１に記載の封じ込めシステム。
【請求項２２】
封じ込めシステムであって、
空気入口及び出口を有するハウジングであって、該ハウジング内に配置されるとフィルタ要素との気密インタフェースを提供するように構成されるシール部を有する、ハウジングと、
前記ハウジングから延びて前記入口出口開口を取り囲む第１のカラーと、
前記ハウジング内に配置されて前記入口開口を選択的にシールするように位置決め可能である第１の気泡密封ダンパと、
前記ハウジング内に配置されて複数の半径方向内向きのエアロゾル噴射孔を有するエアロゾル噴射リングと
を備える、封じ込めシステム。
【請求項２３】
前記エアロゾル噴射リングは、前記第１のカラーの外側で前記ダンパと前記入口開口が形成された壁との間に配置される、請求項２２に記載の封じ込めシステム。
【請求項２４】
前記ハウジングに形成される１つの選択的にシール可能なアクセス開口と、
前記ハウジングから延びて前記アクセス開口を取り囲むバッグイン／バッグアウトリングと
をさらに備える、請求項２２に記載の封じ込めシステム。
【請求項２５】
前記気泡密封ダンパは、前記第１のカラーの中心線に対して軸方向に移動する、請求項２２に記載の封じ込めシステム。
【請求項２６】
前記気泡密封ダンパは、
実質的な円錐体をさらに備える、請求項２２に記載の封じ込めシステム。
【請求項２７】
前記気泡密封ダンパは、ゲル充填トラックをさらに備える、請求項２２に記載の封じ込めシステム。
【請求項２８】
前記ハウジングから延びて前記第２の開口を取り囲む第２のカラーと、
前記ハウジング内に配置されて前記第２の開口を選択的にシールするように位置決め可能である第２の気泡密封ダンパと
をさらに備える、請求項２２に記載の封じ込めシステム。
【請求項２９】
前記ハウジング内に配置されて該ハウジングに連結される運動機構と、
前記運動機構に連結されて該運動機構によって選択的に変位させられるプローブと
をさらに備える、請求項２２に記載のフィルタモジュール。
【請求項３０】
封じ込めハウジング内に配置されるフィルタを試験する方法であって、
施設内に設置された封じ込めハウジング内に配置されたフィルタを通して空気を流すこと、
前記封じ込めハウジングのカラーに取り付けられたリングを通して空気中に負荷エアロゾル（aerosol challenge）を導入すること、及び
前記封じ込めハウジングを開かずに前記フィルタを試験すること
を含む、方法。
【請求項３１】
前記試験することは、
前記封じ込めハウジング内に配置された走査プローブを移動させることをさらに含む、請求項３０に記載の方法。
【請求項３２】
前記試験することは、
前記走査プローブから得られた試料を前記封じ込めハウジングに形成された貫通部を通して送ることをさらに含む、請求項３１に記載の方法。
【請求項３３】
封じ込めハウジング内に配置されたフィルタを交換する方法であって、
ハウジング内に配置された第１のダンパを、該ハウジングの入口の気密シールを提供する位置に移動させること、
前記ハウジング内に配置された第２のダンパを、該ハウジングの出口の気密シールを提供する位置に移動させること、
バッグ（bagging）リングを有するアクセスドアを開くこと、及び
前記アクセスドアを通してバッグイン／バッグアウトフィルタ交換を行うこと
を含む、方法。
【発明の詳細な説明】
【技術分野】
【０００１】
［発明の背景］
発明の分野
本発明は、包括的には、一体型ダンパを有する封じ込めハウジングに関する。本発明は、一体型フィルタ漏れ走査機構を有する封じ込めハウジングにも関する。
【背景技術】
【０００２】
［関連技術の説明］
図１は、従来の封じ込めシステムを示す。従来の封じ込めシステムは、通常、直列に配置された複数の構成要素から成る。構成要素は、概して、１つ又は複数のフィルタハウジングセクションと、上流試験セクションと、下流試験セクションと、システムが連結される上流及び下流の管路からシステムを隔離するための回転翼型気泡密封ダンパとを含む。
【０００３】
気泡密封ダンパは、フィルタハウジングセクション及び試験セクションの上流及び下流に位置付けられることで、システムの汚染除去及び／又はフィルタの整備中に封じ込めシステムを気密シールすることを可能にする。気泡密封ダンパと封じ込めシステムの試験用及び他の構成要素との間には、移行部がある。ダンパは、移行部にボルト留め又は溶接され得る。
【０００４】
上流試験セクションは、フィルタ構成要素の上流に負荷（challenge）エアロゾルを導入するため、及び上流の負荷濃度を測定するためのものである。従来の上流試験セクションは、通常、ＡＮＳＩ、ＩＥＳＴ、又は他の標準に従って試験を行うことができるように十分なエアロゾル混合を達成するためのバッフルを含む。フィルタハウジングセクションは、１つ又は複数のプレフィルタ、中間フィルタ、ＨＥＰＡフィルタ、ＨＥＧＡフィルタ、及び／又は特定の用途に必要な他の濾過構成要素を保持し得る。フィルタ１０４は、パネルフィルタ、Ｖバンクフィルタ、又は他のタイプのフィルタ構成であり得ることが意図される。
【０００５】
走査試験セクションは、ＨＥＰＡフィルタ（複数可）の手動現場走査試験及び検証を行ってフィルタ（複数可）に漏れがあればその場所及び大きさを判定するために用いられる。概して、グローブ付きのバッグ（図示せず）が走査試験セクションのドアフランジに連結され、フィルタハウジングセクション内に配置されたフィルタの試験中にプローブを位置決めするのに利用される。
【０００６】
従来の封じ込めシステムのこの構成は、非常に大きく、通常は長さが約１３０インチの範囲にあり、設置には大きな空間及び費用が必要である。さらに、通常はステンレス鋼から製造される構成要素のサイズが大きいため、材料費が高くなる。さらに、各アクセスドア、バッグリング、及び複数のセクション間の継目が、漏洩点となる可能性がある。研究室での大半の有毒及び毒性の化学物質、作用物質、ウイルス、及び生物の試験は、封じ込めシステムに依存するため、生じ得る漏洩点それぞれが、技術者及び／又は周囲環境が暴露され得る破局的なバイオハザードの発生源となる可能性がある。
【発明の開示】
【発明が解決しようとする課題】
【０００７】
したがって、設置面積及び製造費が少なく、生じ得る漏れに対するシステム固有の防御手段も改善する、改良型の封じ込めシステムが必要である。
【課題を解決するための手段】
【０００８】
［発明の概要］
本発明の実施の形態は、包括的には、一体型気泡密封ダンパを有する封じ込めシステムを提供する。別の実施の形態では、封じ込めシステムは、ハウジングの内部にアクセスせずにハウジング内に配置されたフィルタ要素の漏れを試験することができるように、封じ込めシステムのハウジング内に配置される一体型自動走査機構を含む。
【０００９】
さらに別の実施の形態では、封じ込めシステム内に配置されたフィルタを試験する方法が、封じ込めシステムのハウジング内に配置されたフィルタ要素の上流側に試験エアロゾルを負荷すること、及びハウジング内に配置されたプローブを自動的に移動させることであって、漏れ試験用の試料を得る、自動的に移動させることを含む。
【００１０】
本明細書に組み込まれてその一部を構成する添付図面は、本発明を概略的に示し、上記の概説及び下記の詳細な説明とともに、本発明の原理を説明する役割を果たす。
【発明を実施するための最良の形態】
【００１１】
理解を促すために、可能な場合は、同一の参照符号を用いて図に共通する同一の要素を示している。或る実施形態の要素を他の実施形態に組み込むことが有利な場合もあることが意図される。
【００１２】
［詳細な説明］
本発明は、以下の特徴の１つ又は複数を含む：
・フィルタハウジング（複数可）及び試験セクションが１つのハウジングに組み込まれることにより、個々のセクションの複数のボルト留め又は溶接された接続部等の生じ得る漏洩点をなくす。
・別個のダンパではなく、ダンパブレード及びシール面が封じ込めハウジングに一体化される。
・ダンパが、（図１に示す従来のシステムで示すような）ダンパのバレル等の別個のハウジングではなく、封じ込めハウジングの本体を外圧境界（external pressure boundary）として利用する。
・ダンパの「シール板」又はシール面及び入口フランジが、封じ込めハウジングの端に直接取り付けられる。これらは、封じ込めハウジングの一体部品である。
・有利には、一体型ダンパが、複数のボルト留め又は溶接された接続部等（例えば、図１に示す従来のシステムで示すダンパ及び移行部等）の生じ得る漏洩点をなくす。
・ダンパブレードが、動作中に入口空気流に面したままである。したがって、ダンパブレードは、エアロゾルの均一性に関してＩＥＳＴ−ＲＰ−ＣＣ０３４．１、及び／又は空気流の均一性に関してＩＥＳＴ−ＲＰ−ＣＣ００２．２、及び／又はＡＳＭＥ  Ｎ５１０、Ｓｅｃｔｉｏｎ  ８、１９９５  Ｒｅａｆｆｉｒｍｅｄに従った空気流分布、及び／又はＡＳＭＥ  Ｎ５１０、Ｓｅｃｔｉｏｎ  ９、１９９５  Ｒｅａｆｆｉｒｍｅｄに従った空気・エアロゾルの混合均一性に確実に準拠するように、分配板としても機能する。これが、混合のための内部バッフル及び空間の必要をなくすことにより、ハウジングを縮めることができる。
・エアロゾル噴射リングの設計及び場所が、上流のダンパの入口カラーを通って流入する高速空気中にエアロゾルを噴射するようなものである。ダンパに対するエアロゾル噴射リングの場所は、ダンパのさらに下流に分配板を設ける必要をなくす。一方、従来のシステムは、別個のダンパ及びエアロゾル噴射ハウジングを利用する。
・ダンパに対するエアロゾル噴射リングの設計及び位置と、ダンパの設計と、封じ込めハウジングの入口に対するダンパ及びエアロゾル噴射リングの場所との組み合わせにより、互いに直列に溶接されたいくつかの個々の構成要素（例えば、ダンパ及び試験セクション）から通常は成る「一体型システム」ができる。この一体型システムは、従来の封じ込めシステムと比較して、全長、設置費、製造費、及び設置空間要件を減らす。
・一体型自動走査機構が、封じ込めシステムのハウジング内に設けられる。これは、フィルタハウジングの下流内側を開いて技術者を暴露させることなく、封じ込めシステム内に配置されたフィルタを試験することを可能にする。
【００１３】
図２は、一体型ダンパ１１８を有する封じ込めシステム１００である。封じ込めシステム１００は、概して、フィルタ要素又はフィルタ１０４を内部に密閉保持するハウジング１０２を含む。一実施形態では、ハウジング１０２は、底面１０８、側壁１０６（その中でも前、左端、及び右端の側壁が図示されている）、及び上面１１０を含む。ハウジング１０２は、適当な材料の中でも特に、プラスチック、ガラス繊維、ステンレス鋼、及びアルミニウム等の任意の適当な材料から製造され得る。図１に示す実施形態では、底面１０８、側壁１０６、及び上面１１０は、ほぼ矩形である１つのハウジング１０２に連続溶接される。
【００１４】
図３Ａ及び図３Ｂの断面図をさらに参照すると、ハウジング１０２は、対向する平行な側壁１０６に形成される入口開口１８６及び出口開口１８８の周りに配置されるカラー１１６を含む。カラー１１６は、封じ込めシステム１００内に配置されたフィルタ１０４を通る空気（又は他の流体）の流れを促すために、側壁１０６に密閉状に連結又は形成される。カラー１１６は、連続溶接、かしめ、ガスケット、又は他の適当なシールによってハウジング１０２にシールされ得る。カラー１１６は、ハウジング１０２の内部体積内に延びるシールリップ１１２を含む。
【００１５】
各カラー１１６内に、気泡密封ダンパ１１８が設けられる。ダンパ１１８は、リップ１１２と密閉係合することによりカラー１１６からの漏れを防止する第１の位置と、リップ１１２から離間した第２の位置との間で移動させることができる。ダンパ１１８とリップ１１２との間の距離は、カラー１１６を通る流量を制御するように設定することができる。一実施形態では、ダンパ１１８は、ほぼ円錐形であり、カラー１１６の中心線に沿った軸方向のダンパの開閉運動に対して向きが固定されたままである。したがって、ダンパ１１８がカラー１１６を通る流れに面したままである（例えば、ダンパの面が流れに対して直角に維持される）ため、ダンパとカラー１１６のリップ１１２との間に均一なエアギャップが維持される結果として、ダンパの全運動範囲で均一な空気流分布が得られる。本発明から利益が得られるようになっている１つのダンパは、Morse他により２００４年６月８日に出願された米国特許仮出願第１０／８６３，６２９号に記載されている。
【００１６】
図３Ａ及び図３Ｂに示す実施形態では、ダンパ１１８は、ハウジング１０２及び／又はカラー１１６から延びるリップ１１２と係合すると気泡密封シールを選択的に提供する円錐体の外周に形成される、ゲル充填トラック１３２を含む。「円錐体」という語句は、その変形形態とともに、円錐形、楕円形、半球形、及び丸形の形態を含むことが意図される。ゲルは、シリコンゲル、ポリウレタンゲル、又はダンパ１１８を封じ込めシステム１００に選択的にシールするのに適した他の材料であり得る。代替的に、ガスケット又は他の適当な材料によって気泡密封シールを形成してもよい。気泡密封シールは、封じ込めシステム１００の内部体積をカラー１１６に連結された導管（図示せず）から隔離することができる。このようにして、ハウジング１０２の内部体積を汚染除去すること及び／又はフィルタ１０４を交換することができる。ダンパ１１８は、（図１に示す従来のシステムで示すような）移行部及び／又は別個のダンパモジュールを伴わずにハウジング１０２に直接一体化されるため、複数の生じ得る漏洩点がなくなり、汚染物質の偶発的な漏れ及び生じ得る放出に対する封じ込めシステム１０２の固有の安全率が高くなる。
【００１７】
図４に示す封じ込めシステム１００の部分上面図をさらに参照すると、エアロゾル噴射リング３０２が、ダンパ１１８の上流でカラー１１６内に配置される。エアロゾル噴射リング３０２は、リップ１１２を密閉通過する管３０４によって、ハウジング１０２に形成されたエアロゾル噴射ポート１８０に連結される。エアロゾル噴射リング３０２は、カラー１１６によって画定される領域の高速流内に位置決めされる。エアロゾル噴射リング３０２の半径方向内側（又は他の部分）に位置決めされた孔を通して空気流に供給されるエアロゾルは、空気流がハウジング１０２に入るとダンパ１１８の面に衝突することにより、フィルタ試験のためにエアロゾルの良好な混合及び均一な分布を確保するのに必要な乱流をもたらす。
【００１８】
図３Ｂは、エアロゾル噴射リング３３０の代替的な場所を示す、図２の封じ込めシステムの部分断面図である。射出リング３３０は、ハウジング１０２内でリップ１１２の外方に位置決めされる。射出リング３３０は、側壁１０６とダンパ１０６との間に配置される。射出リング３３０に形成される孔４０２は、エアロゾルのスプレーがリップ１１２とダンパ１１８との間に画定された高速空気流区域に送られるように、このスプレーをハウジング１０２内に内向きの角度で（例えば、カラー１１６の中心線に向けて）送る向き（破線３３２で示す）を有する。向き３３２はまた、孔４０２から出るスプレーがリップ１１２を越える（clear）ように、側壁１０６から離れていてもよい。
【００１９】
図３Ａ及び図３Ｂに示すようなエアロゾル噴射リング３３０のこれらの構成は、エアロゾルの均一性に関してＩＥＳＴ−ＲＰ−ＣＣ０３４．１、及び／又は空気流の均一性に関してＩＥＳＴ−ＲＰ−ＣＣ００２．２、及び／又はＡＳＭＥ  Ｎ５１０、Ｓｅｃｔｉｏｎ  ８、１９９５  Ｒｅａｆｆｉｒｍｅｄに従った空気流分布、及び／又はＡＳＭＥ  Ｎ５１０、Ｓｅｃｔｉｏｎ  ９、１９９５  Ｒｅａｆｆｉｒｍｅｄに従った空気・エアロゾルの混合均一性への準拠を証明している。したがって、従来の封じ込めシステムで必要な混合のための内部バッフル及び空間が必要なくなることにより、従来の封じ込めシステムと比較してハウジングを縮めることができる。
【００２０】
図５及び図６は、図２の封じ込めシステムの断面図及び部分断面図である。主に図５を参照すると、自動走査機構１３０をハウジング１０２内に配置して、ハウジング１０２を開かずにフィルタ１０４を走査することを容易にすることができる。ハウジング１０２のこの領域には、（図１の従来のシステムのような）試験を容易にするためのドアが必要なくなるため、ハウジング１０２の長さをさらに短くすることができる。さらに、ドアが必要ないため、従来のシステムにある別の生じ得る漏洩点がなくなり、本発明の安全率がさらに高くなる。一実施形態では、自動走査用に構成されたハウジング１０２の全長は、約５５インチ未満である。効率試験用に構成された封じ込めシステムでは、ハウジング１０２の下流でサンプリングが行われ得るため、下流のダンパ１１８とフィルタ１０４との間の距離をさらに縮めることができることが意図される。本発明から利益が得られるようになっている１つの自動走査機構は、Morse他により２００５年４月２５日に出願された米国特許仮出願第６０／６７５，６７８号に記載されている。
【００２１】
自動走査機構１３０は、少なくとも１つのプローブ１４２とアクチュエータ１４４等の運動機構とを含む。プローブ１４２は、微粒子走査試験に適した任意の様々な設計を有し得る。一実施形態では、プローブ１４２は、ＩＥＳＴ−ＲＰ−ＣＣ０３４．１推奨粒子に適合する。プローブ１４２は、概して、管５１６によって、ハウジング１０２に画定された下流試料ポート５０８に連結される。ポート５０８には、光度計又は粒子計数器等のテスタ５１０が連結される。テスタ５１０は、上流試料ポート５４０にも連結され得る。プローブ１４２は、概して、所定のフィルタ試験速度で等速サンプリングを行うように構成される。複数のプローブ、又は複数のサンプリングポート（したがって、複数のサンプリングポート５０８に連結された複数のサンプリング管５１６）を有する１つのプローブを利用することができることが意図される。
【００２２】
アクチュエータ１４４は、１つ又は複数のリニアアクチュエータ、ｘ／ｙアクチュエータ、又はフィルタ要素１０４に対してプローブ１４２を位置決めすることにより漏れ試験を容易にするのに適した他の機構であり得る。アクチュエータ１４４のための制御部及び／又はユーティリティが、ハウジング１０２に画定されたポート５０２を通してコントローラ５０６につながれ得る。ポート５０２は、ハウジング１０２からの漏れを防止するように構成され、クイックディスコネクト又は他の適当な継手を嵌めることができる。このようなポートは、Camfil Farr, Inc.から入手可能な封じ込めシステムで現在利用可能である。
【００２３】
図８は、ハウジング１０２を開かずにシステム１００内に設置されたフィルタの漏れ試験を行うために本明細書に記載のハウジング１０２で用いられ得る、自動走査機構８００の一実施形態を示す。自動走査機構８００は、漏れの有無についてフィルタの全面を走査することができるようにハウジング内にプローブ１４２を位置決めするのに用いられる、運動機構８４４を含む。プローブ１４２は、フィルタとシール面との間のシールでの漏れの有無についての漏れ試験を行うようにも位置決め可能であり得る。運動機構８４４は、任意の適当なアクチュエータ、ロボット、ｘ−ｙアクチュエータ、リニアアクチュエータ、ステッピングモータ若しくはサーボモータ、流体動力シリンダ、ロッドレスシリンダ、チェーンドライブ若しくはベルトドライブ、ラックピニオンギア装置、ボール、リード、アクメねじ若しくは他の動力ねじ、又はハウジング１０２の内部体積内でプローブ１４２を移動させるのに適した他の適当な運動制御、運動発生、及び／又は運動促進機構であり得る。図８に示す実施形態では、運動機構８４４は、２つのロッドレスシリンダ８４６、８４８である。
【００２４】
第１のシリンダ８４６は、ハウジング１０２に連結され、第１のキャリッジ８１０が摺動可能に連結されている。第２のシリンダ８４８は、第１のキャリッジ８１０に連結されてこれとともに移動する。第２のキャリッジ８１２は、第２のシリンダ８４８に沿って進む。プローブ１４２は、第２のキャリッジ８１２に連結される。第１のキャリッジ８１０の位置は、第１のシリンダ８４６の少なくとも片側に空気又は他の流体を選択的に加えることによって制御される。同様に、第２のキャリッジ８１２の位置は、第２のシリンダ８４８の少なくとも片側に空気又は他の流体を選択的に加えることによって制御される。したがって、キャリッジ８１０、８１２の運動を制御することにより、フィルタの面を走査するようにプローブ１４２を選択的に位置決めすることができる。図示の実施形態では、流体制御ライン８２２、８２４がシリンダ８４６、８４８とポート５０２との間に設けられて、システム１００の外部から走査方向のプローブ１４２の横方向位置を制御する。
【００２５】
システム１００内に配置されたセンサを利用して、プローブ１４２の位置を判定するためにコントローラにフィードバックを提供することができる。この情報を利用して、用途の中でも特に、漏れの確認又はフィルタ漏れ修復の試験を行うことができる。図８に示す実施形態では、２つのセンサ８５２、８５４が、ポート５０２を通してコントローラ５０６に配線接続されて、プローブ１４２が所定の位置にあるときを判定するのに利用することができる情報を提供する。センサ８５２、８５４とコントローラ５０６との配線接続は、明確にするために省いてある。センサ８５２、８５４は、較正ルーチンで、又は既知の若しくは計算されたプローブ移動速度を利用してプローブ位置を計算するのに利用することができる。プローブ移動速度は、経験的に求めてもよく、制御流体パラメータ（すなわち、制御ライン８４８、８５０を通過する流体の圧力、体積、及び／又は速度）に関連する既知の若しくは推定の速度に基づいて計算してもよく、且つ／又は直接測定によって求めてもよい。
【００２６】
別の実施形態では、センサ８５２、８５４は、プローブ位置を示す測定基準を得るためにハウジング１０２内に配置される。センサ８５２、８５４は、光学装置、近接センサ、ロータリエンコーダ、ＬＶＤＴトランスデューサ、又はプローブ１４２の位置を判定するのに適した他の装置であり得る。図８に示す実施形態では、センサ８５２、８５４は、ポート５０２を通してコントローラ５０６に配線接続されたＬＶＤＴトランスデューサである。
【００２７】
図２及び図５に戻ると、ハウジング１０２は、概して、フィルタアクセスポート５２２を密閉するのに利用することができるドア５２０を含む。ドア５２０は、概して、ハウジング１０２に対して圧縮されてポート５２２をシールすることができるガスケット５２４を含む。一実施形態では、ガスケット５２４は、ねじ部材上に配置されたノブ等のロック機構５２６によって圧縮される。ハウジング１０２は、ハウジング１０２の内部にアクセスするために１つのドア又はアクセスポート（例えば、フィルタアクセスポート５２２のみ）しか必要としないため、生じ得る漏洩点の数が、１つのドア、１２個のハウジング縁溶接部、及び貫通部のみに抑えられることで、従来のシステムと比較してより堅牢で確実な封じ込めシステムが得られる。封じ込めシステムの使用に関連する危険レベルの重大性が高まり続ければ、漏れの可能性が最小限に抑えられた本明細書に記載の本発明等の封じ込めシステムは、技術者及びこれらのシステムを利用する研究室周囲の領域を保護するのに不可欠となるであろう。
【００２８】
図２及び図５を引き続き参照すると、バッグリング５３０が、フィルタアクセスポート５２２を取り囲む。リング５３０は、当該技術分野で既知のようなハウジング１０２の内部の除去及び／又はアクセスに利用することができるバッグ（任意にグローブ付き）５３２のための取り付けフランジを提供する。このハウジングの内部へのアクセス方法は、「バッグイン、バッグアウト」として一般に知られており、米国特許第４，４５０，９６４号にさらに詳細に記載されている。
【００２９】
フィルタ１０４は、概して、ハウジング１０２内に配置されたシール面５５０に対してシールされる。シール面５５０は、ハウジングを通って流れる空気をフィルタ１０４に通過させるようにハウジング１０２に連結される。一実施形態では、シール面５５０は、フィルタ１０４のフレームに形成された流体シールと係合するナイフエッジである。シール面５５０は、フィルタ１０４をハウジング１０２にシールするのに適した構成の中でも特に、ガスケットをシールするためのフランジであり得ることが意図される。
【００３０】
ハウジング１０２は、付勢機構５５２も含む。付勢機構５５２は通常、動作中に脇道ができないことを確実にするためにフィルタ１０４をシール面５５０に対して付勢する。一実施形態では、付勢機構５５２は、フィルタ１０４を解放する位置とフィルタをシール面５５０に対して付勢する位置との間で移動させることができる結合部締め付け機構である。フィルタ１０４をシール面５５０に対して保持するのに適した付勢機構５５２の他の構成を利用してもよいことが意図される。付勢機構、バッグリング、及びフィルタアクセスポートの全てを有する、本発明から利益が得られるようになっている１つの汚染ハウジングは、ノースカロライナ州ワシントン所在のCamfil Farr, Inc.から入手可能なＦＢ  ＨＯＵＳＩＮＧ（商標）である。
【００３１】
図７は、一体型ダンパ１１８を有する封じ込めシステム７００の別の実施形態を示す。封じ込めシステム７００は概して、図２〜図６のシステムとほぼ同様であるが、システム７００が、図５に示すバッグ５３２等のグローブ付きバッグを用いる従来の走査慣行を利用したフィルタ１０４の手動試験に対応するように、バッグリング７０４を有する第２のアクセスポート７０２を含む点が異なる。
【００３２】
したがって、従来の封じ込めシステムと比較して全体的なサイズ及び費用を大幅に低減した、少なくとも１つの一体型ダンパを有する封じ込めシステムが提供される。さらに、ハウジングを開いてフィルタの下流の領域を汚染の危険に曝すことなく、フィルタをその設置位置（例えば、卓上試験ではなく最終使用者の現場における動作場所）で試験することを可能にする自動走査機構を有する実施形態が提供される。
【図面の簡単な説明】
【００３３】
【図１】従来の封じ込めシステムの側面図である。
【図２】一体型気泡密封ダンパを有する封じ込めシステムの一実施形態を示す図である。
【図３Ａ】気泡密封ダンパの一実施形態を示す、図２の封じ込めシステムの部分断面図である。
【図３Ｂ】エアロゾル噴射リングの代替的な場所を示す、図２の封じ込めシステムの部分断面図である。
【図４】エアロゾル噴射リングの一実施形態を示す、図２の封じ込めシステムの部分上面図である。
【図５】図２の封じ込めシステムの断面図である。
【図６】図２の封じ込めシステムのハウジングに連結されたバッグリングの部分断面図である。
【図７】封じ込めシステムの別の実施形態を示す図である。
【図８】封じ込めシステムで利用され得る自動走査機構の一実施形態を示す図である。
【図１】
2009505061.tif 000003
【図２】
2009505061.tif 000004
【図３Ａ】
2009505061.tif 000005
【図３Ｂ】
2009505061.tif 000006
【図４】
2009505061.tif 000007
【図５】
2009505061.tif 000008
【図６】
2009505061.tif 000009
【図７】
2009505061.tif 000010
【図８】
2009505061.tif 000011
【国際調査報告】
2009505061.tif 000012